(57)【要約】【課題】メモリカードを提供する。【解決手段】メモリカードは、第一カバー、第二カバー、一組のリード、及び、メモリ素子、からなる。第一カバーは一組の開口を有する。第二カバーは第一カバーに結合されて、収容空間を定義する。リードは、収容空間中に設置され、且つ、その一端は、開口に対応して露出し、外部端子となる。メモリ素子も、収容空間中に設置され、チップ基板とチップ基板に電気的に接続する少なくとも一つの機能素子からなり、チップ基板は、一組の導電パッドを有し、リードのもう一端に電気的に接続する。上述の構造によると、小さいチップ基板構造を有するメモリカードが設計され、製造コストを減少させる。【選択図】図２ａ
2009064403.tif 000002
【特許請求の範囲】
【請求項１】
メモリカードであって、
一組の開口を有する第一カバーと、
前記第一カバーと結合し、収容空間を定義する第二カバーと、
前記収容空間中に設置され、且つ、一端は前記開口に対応して露出し、外部端子となる一組のリード、及び、
前記収容空間中に設置され、チップ基板と前記チップ基板に電気的に接続する少なくとも一つの機能素子からなり、前記チップ基板は、一組の導電パッドを有し、前記リードのもう一端に電気的に接続するメモリ素子と、  
からなることを特徴とするメモリカード。
【請求項２】
前記チップ基板の幅は、前記外部端子の幅以下であることを特徴とする請求項１に記載のメモリカード。
【請求項３】
前記機能素子は、制御素子、少なくとも一つのメモリチップ、及び、少なくとも一つの受動素子を有することを特徴とする請求項１に記載のメモリカード。
【請求項４】
前記機能素子はシステムインパッケージであることを特徴とする請求項３に記載のメモリカード。
【請求項５】
前記導電パッドの表面は金層を形成することを特徴とする請求項１に記載のメモリカード。
【請求項６】
前記外部端子の表面は金層を形成することを特徴とする請求項１に記載のメモリカード。
【請求項７】
前記第一カバーと前記第二カバーは、粘着剤により粘合するか、或いは、高周波により融合することを特徴とする請求項１に記載のメモリカード。
【請求項８】
前記メモリカードは、ＳＤカード、或いは、ＭＭＣであることを特徴とする請求項１に記載のメモリカード。
【発明の詳細な説明】
【技術分野】
【０００１】
本発明は、メモリカードに関し、特に、小さいチップ基板を有するメモリカードに関するものである。
【背景技術】
【０００２】
携帯式電子装置は軽薄短小なだけでなく、その功能もますます強大になっている。しかし、携帯式電子装置中に内建されるメモリは不足し、よって、現有の携帯式電子装置は、外接式のメモリカードをサポートし、内建メモリの不足を補っている。
【０００３】
図１ａは、公知のメモリカード１の構造を示す図で、主に、第一カバー１１、第二カバー１２、及び、メモリ素子１３、からなる。第一カバー１１は開口１１１を有し、第二カバー１２と結合して、メモリカード外形の外殻を形成する。メモリ素子１３は、第一カバー１１と第二カバー１２間に設置され、メモリカード１が具備すべき機能を実現する。例えば、メモリ素子１３は、チップ基板１３１、及び、チップ基板１３１上に設置され、電気的に接続するメモリチップ１３２、制御素子１３３等の功能素子からなる。チップ基板１３１は別に導電パッド１３４を有し、開口１１１により外殻を露出して外部端子となる。電子装置は、外部端子によりメモリ素子１３と電気的に接続して、メモリ素子１３の各功能、例えば、メモリチップ１３２にアクセスする等を実行する。
【０００４】
図１ｂを参照し、ＳＤカード（Ｓｅｃｕｒｅ  Ｄｉｇｉｔａｌ  Ｃａｒｄ）を例とすると、導電パッド１３４が形成する外部端子１４をＳＤカードの標準規格に符合させるために、チップ基板１３１は対応する尺寸でなければならない。よって、上述のメモリカード１の構造により、チップ基板１３１の尺寸は効果的に縮小することができない。
【０００５】
よって、メモリカードの構造をどのように改良し、低い生産コストにするかが重要な課題である。
【発明の開示】
【発明が解決しようとする課題】
【０００６】
解決しようとする課題は、小さいチップ基板を有し、メモリカードの生産コストを減少することができるメモリカードを提供することにある。
【課題を解決するための手段】
【０００７】
上述の目的を達成するため、本発明の実施例によるメモリカードは、第一カバー、第二カバー、一組のリード、及び、メモリ素子、からなる。第一カバーは一組の開口を有する。第二カバーは第一カバーに結合されて、収容空間を定義する。リードは、収容空間中に設置され、且つ、その一端は、開口に対応して露出し、外部端子となる。メモリ素子も、収容空間中に設置され、チップ基板とチップ基板に電気的に接続する少なくとも一つの機能素子からなり、チップ基板は、一組の導電パッドを有し、リードのもう一端に電気的に接続する。
【発明の効果】
【０００８】
本発明により、小さいチップ基板構造を有するメモリカードが設計され、製造コストを減少させるという利点がある。
【発明を実施するための最良の形態】
【０００９】
図２ａと図２ｂは、本発明の好ましい実施例によるメモリカード２を示す図で、メモリカード２は、第一カバー２１、第二カバー２２、一組のリード２３、及び、メモリ素子２４、からなる。第一カバー２１は一組の開口２１１を有する。第二カバー２２は、適当な方式で、第一カバー２１に結合されて、収容空間を定義すると共に、メモリカード外形を有する外殻を形成する。図２ｂで示されるように、メモリカードはＳＤカードであるが、これに制限されず、メモリカードは、マルチメディアカード（Ｍｕｌｔｉ  Ｍｅｄｉａ  Ｃａｒｄ、ＭＭＣ）でもよい。第一カバー２１と第二カバー２２は、粘着剤により粘合されるか、或いは、高周波融合等の方式で結合される。
【００１０】
リード２３は、第一カバー２１と第二カバー２２が形成する収容空間中に設置され、且つ、リード２３の一端２３１は、開口２１１に対応して露出し、外部端子２５となる。注意すべきことは、外部端子２５の表面に金属層を形成して、外部端子２５の導電性を増加し、例えば、金属層は金（Ａｕ）層である。
【００１１】
メモリ素子２４も、収容空間中に設置され、主に、メモリカードの功能を実現する。例えば、メモリ素子２４は、チップ基板２４１と少なくとも一つの機能素子からなる。機能素子とチップ基板２４１は電気的に接続し、少なくとも一つのメモリチップ２４２、及び、制御素子２４３を有し、好ましくは、更に、少なくとも受動素子２４５を有する（図２ｂで示される）。チップ基板２４１は、一組の導電パッド２４４を有し、リード２３のもう一端に電気的に接続する。好ましくは、導電パッド２４４の表面は、例えば、金層等の金属層を形成して、その導電性を増加する。上述の構造によると、電子装置は、外部端子２５によりメモリカード２と電気的に接続し、且つ、リード２３とメモリ素子２４が電気的に接続するので、電子装置は、メモリ素子２４と電気的に接続して、例えば、メモリチップ２４２にアクセスする等、メモリカード２の各功能を実行する。
【００１２】
注意すべきことは、メモリ素子２４の構造は、各種公知技術により実現できる。例を挙げると、例えば、メモリチップ２４２等の各種チップは、非アクティブ面によりチップ基板２４１に固設し、引線によりチップ基板２４１と電気的に接続するか、或いは、フリップチップ方式により、アクティブ面をチップ基板２４１に固設すると共に、導電凸ブロックによりチップ基板２４１と電気的に接続する。また、多数のチップ２４２は並列方式でチップ基板２４１に固設でき、スタック方式でチップ基板２４１に固設してもよい。この他、メモリ素子２４の各素子は、システムインパッケージ（Ｓｙｓｔｅｍ  ｉｎ  Ｐａｃｋａｇｅ、ＳＩＰ）方式によりパッケージされる。
【００１３】
上述のメモリカード構造によると、チップ基板の尺寸は、外部端子がメモリカード標準規格に符合しなければならない制限を受けない。図２ｂを参照すると、リード２３の一端２３１は外部端子２５で、電子装置と電気的に接続する。よって、外部端子の幅Ｗはメモリカードの標準規格に符合させなければならない。リード２３のもう一端は、設計の需要によりどのようにも配置でき、よって、チップ基板２４１の幅ｗは、外部端子２５の幅Ｗ以下である。
【００１４】
上述を総合すると、本発明のメモリカードのチップ基板の尺寸は、外部端子がメモリカード標準規格に符合しなければならない制限を受けず、よって、小さいチップ基板を有するメモリカードを設計することができ、メモリカードの材料コストを減少させる。この他、公知のチップ基板上の導電パッドは多くが銅材質であり、複数回の抜き差しに耐えうる耐磨性のために、厚い金層をめっきしている。本発明のメモリカードは、リードの材質が既に好ましい耐磨性を有するので、表面に極薄い金層をめっきするだけでよいので、更に、コストが減少する。また、本発明のメモリカード上の導電パッドの大きさは、公知のメモリカードの導電パッドより小さく設計することができ、よって、金層をめっきする材料コストを減少させ、メモリカード全体の生産コストを更に低下させる。
【００１５】
本発明では好ましい実施例を前述の通り開示したが、これらは決して本発明に限定するものではなく、当該技術を熟知する者なら誰でも、本発明の精神と領域を脱しない範囲内で各種の変更や改良を加えることができ、従って本発明の保護範囲は、特許請求の範囲で指定した内容を基準とする。
【図面の簡単な説明】
【００１６】
【図１ａ】公知のメモリカードの分解構造図である。
【図１ｂ】公知のＳＤメモリカードを示す図である。
【図２ａ】本発明の好ましい実施例によるメモリカードの分解構造図である。
【図２ｂ】第二カバーを除去した本発明の好ましい実施例のメモリカードの構造図である。
【符号の説明】
【００１７】
１    公知のメモリカード
１１  第一カバー
１１１  開口
１２  第二カバー
１３  メモリ素子
１３１  チップ基板
１３２  メモリチップ
１３３  制御素子
１３４  導電パッド
１４  外部端子
２  本発明のメモリカード
２１  第一カバー
２１１  開口
２２  第二カバー
２３  リード
２３１  リードの一端
２４  メモリ素子
２４１  チップ基板
２４２  メモリチップ
２４３  制御素子
２４４  導電パッド
２４５  受動素子
２５  外部端子
Ｗ  外部端子の幅
ｗ  チップ基板の幅
【図１ａ】
2009064403.tif 000003
【図１ｂ】
2009064403.tif 000004
【図２ａ】
2009064403.tif 000005
【図２ｂ】
2009064403.tif 000006